(57)【要約】【課題】紐状体の係止ができず自殺を防止すると共に、全長が短くなる手摺を提供する。【解決手段】壁６の凹部に嵌入固定可能で前面が開口した筐体２と、該筐体２内の空間部３に横設され両端において該筐体２の両閉側板部２ｄに固着されている握り部４と、該握り部４と前記筐体２の一側板部２ａの前端縁との間を全長にわたって連結した連結板部５とからなる【選択図】図２
2015034406.tif 000002
【特許請求の範囲】
【請求項１】
壁の凹部に嵌入固定可能で前面が開口した筐体と、該筐体内の空間部に横設され両端において該筐体の両閉側板部に固着されている握り部と、該握り部と前記筐体の一側板部の前端縁との間を全長にわたって連結した連結板部とからなる手摺。
【請求項２】
前記筐体の周縁と前記握り部と前記連結板部とが、前記壁の前面より前方に突出していない請求項１に記載の手摺。
【請求項３】
前記握り部と前記連結板部は折り曲げにより一体成型されている請求項１又は請求項２に記載の手摺。
【請求項４】
前記壁の凹部は、手洗い装置のケースの前面板の開口部であり、
該手洗い装置は、ケースの前面板に開口を形成して該開口の個所の該ケース内に手洗い器を設けると共に、該ケース内の残余のスペースに、水道源から便器への主管路と該主管路から分岐して前記手洗い器に接続する補助管路を配設し、前記主管路において、前記補助管路への分岐部の上流側に、バルブを介在し、該バルブを作動する操作ボタンを前記ケースに設け、前記手洗い器は前面部が開口した横向きの円筒形で後面壁を有する手洗い部とその円筒内面上方に前記補助管路に接続した流出口と下方に排水のための排水口とが設けられていることを特徴とする請求項１乃至３のいずれか１に記載の手摺。
【発明の詳細な説明】
【技術分野】
【０００１】
本発明は、精神病院、刑務所又は警察の留置場等において使用する、紐状体の係止ができない手摺に関する。
【背景技術】
【０００２】
従来、精神病院や刑務所等において、手摺に、着衣等をほどいて紐状体にした該紐状体を掛けたり、又は結び付けたりして、該紐状体を利用して自殺を図るのを防ぐために、該紐状体の係止ができない手摺が知られている（特許文献１参照）。
【０００３】
図４及び図５は、前記特許文献１に記載の手摺ａを示し、該手摺ａは、壁面に取り付けるベース板部ｂと、該ベース板部ｂから手が入るだけの間隔を存して該ベース板部ｂに平行に配置されている円管状の握り部ｃと、前記ベース板部ｂより突設し該握り部ｃの全長に渡って該握り部ｃを支持する連結板部ｄと、これら握り部ｃ及び連結板部ｄの両端の各端部と前記ベース板部ｂとに結着しこれらベース板部ｂと握り部ｃと連結板部ｄとにより形成される空間部ｅの両端部を閉塞する蓋部ｆ、ｆとからなる。
【０００４】
また、前記連結板部ｄは、図５に示すように、前部の握り部ｃ側の辺ｄ１よりも後部のベース板部ｂ側の辺ｄ２の方が長い台形に形成し、前記蓋部ｆの傾斜する外表面に紐状体を掛けられないように形成している。
【先行技術文献】
【特許文献】
【０００５】
【特許文献１】特開２０１１−２５６５９５号公報
【発明の概要】
【発明が解決しようとする課題】
【０００６】
しかしながら、この従来の手摺によれば、壁から突出すると共に、前記手摺ａの全長が長くなってしまう問題点があった。
【０００７】
本発明は、これらの問題点を解消し、紐状体の係止ができないと共に、全長を短くできる手摺を提供することを目的とする。
【課題を解決するための手段】
【０００８】
前記の目的を達成すべく、本発明の手摺は、壁の凹部に嵌入固定可能で前面が開口した筐体と、該筐体内の空間部に横設され両端において該筐体の両閉側板部に固着されている握り部と、該握り部と前記筐体の一側板部の前端縁との間を全長にわたって連結した連結板部とからなる。
【発明の効果】
【０００９】
本発明の手摺は、全長が短く、又は、壁の凹部に嵌入固定されて該壁面より前方へ突出してなく、しかも、紐状体を係止できず、自殺を防止できる効果を有する。
【図面の簡単な説明】
【００１０】
【図１】本発明の実施例１の手摺の斜視図である。
【図２】該手摺を壁の凹部に取付けた状態の断面図である。
【図３】本発明の実施例２の手摺を取り付けた手洗い装置の斜視図である。
【図４】従来の手摺の縦断面図である。
【図５】該手摺の側面図である。
【発明を実施するための形態】
【００１１】
本発明を実施するための形態の実施例を以下に示す。
【実施例１】
【００１２】
本発明の実施例１を図１及び図２により説明する。
【００１３】
１は手摺を示し、２は、該手摺１の筐体を示し、該筐体２は、一側板部２ａと、斜め外方に傾斜した他側板部２ｂと、これらの下端部を連設する底板部２ｃと、これら一側板部２ａと他側板部２ｂと底板部２ｃを両端において閉塞して固着した閉側板部２ｄ、２ｄとからなる。そして、前記筐体２は、その前面に開口部を有すると共に、内部に所定の幅と深さを有し該開口部に連通する空間部３が長手方向に形成されている。
【００１４】
４は前記手摺１の握り部を示し、該握り部４は、断面が楕円管状に形成され、その両端がそれぞれ前記一方の閉側板部２ｄと他方の閉側板部２ｄに固着されていると共に、前記筐体２の底板部２ｃから手が入るだけの間隔を存して該底板部２ｃに平行に前記筐体２内の空間部３内に配置されている。
【００１５】
５は連結板部を示し、該連結板部５は、前面板部５ａと該前面板部５ａの先端に連設し斜め底側に延びる狭い幅の連設部５ｂとからなり、該前面板部５ａは、その両端部が全長にわたって前記両閉側板部２ｄ、２ｄの上端縁に固着していると共に根部が全長にわたって前記一側板部２ａの上端縁に固着し、又、前記連設部５ｂは、その両端部が全長にわたって前記両閉側板部２ｄ、２ｄに固着すると共に先端部が全長にわたり前記握り部４に連結している。
【００１６】
ここで、前記握り部４と前記連結板部５の前面板部５ａと連設部５ｂは所定の大きさの板を折り曲げて一体に形成した。そしてこれら各部材はステンレス板により形成されている。
【００１７】
尚、前記握り部４の断面が楕円環状に形成したが、断面が円環状等の種々の形状に形成してもよい。
【００１８】
次に本実施例１の手摺１の使用方法及びその効果について説明する。
【００１９】
本発明の手摺１は、精神病院、刑務所又は警察の留置場等において、階段や廊下に沿って取り付けたり、又はトイレや浴室に取り付けたりする。
【００２０】
手摺１の取り付けにおいては、壁６に形成した凹部６ａに前記手摺１を埋設して、例えば、ネジ又は接着により固定する。
【００２１】
そして利用者が、前記筐体２の他側板部２ｂと握り部４との間の間隙から手を挿入してから、前記底板部２ｃと握り部４との間の空間部３に指を差し込んで握り部４を握ることにより手摺１を使用できる。
【００２２】
ここで、握り部４は、筐体２内の空間部５内に配置されてその両端が両閉側板部２ｄ、２ｄに固着していると共に、連結板部５は握り部４と両閉側板部２ｄ、２ｄと一側板部２ａにそれぞれ全長にわたり固着し、更に筐体２自体及び握り部４が前記凹部６ａ内に存して壁の前面６より前方に突出していないので、手摺１には紐状体を掛けたり又は紐状体を結び付けたりすることがでず、かくて自殺を図る者がいても手摺を自殺に使用することができず、自殺者の出るおそれのある精神病院や刑務所又は警察の留置場等での使用に適している。
【実施例２】
【００２３】
本発明の実施例２を図３により説明する。
【００２４】
本発明の実施例２においては、実施例１における手摺１を、トイレの壁面Ａに埋め込んで設置する手洗い装置７に取り付ける。
【００２５】
該手洗い装置７は、主要部をコンパクトに組み込んだ平箱状のケース７ａと、該ケース７ａの前面板７ｂに開口した個所の内側に設けた手洗い器８及び手摺１と、該ケース７ａ内の該手洗い器８及び手摺１が占有したスペース以外の個所に水道源９から便器１０へ接続する主管路１１と該主管路１１から分岐して該手洗い器８に接続する補助管路１２とが配設されている。
【００２６】
尚、１３は、例えば、フラッシュバルブ、電磁バルブ、電動バルブなどのバルブであり、１４は、該バルブを操作する操作ボタンである。
【００２７】
又、前記手洗い器８は、前面部が開口した横向きの奥行の浅い円筒形で後面壁を有する手洗い部８ａとその円筒内面上方に前記補助管路１２に接続した流出口８ｂと下方に排水のための排水口８ｃとが設けられ、該排水口８ｃは臭気止めのためのＳ字トラップ１５を介在して下水管に連通し、前側の開口個所には水はね防止のための下方が三日月形の水除けが設けられた水除けリング８ｄが前記ケース７ａの前面板７ｂの開口個所に固着されている。
【００２８】
尚、流出口８ｂの突出した部分や前面リング８ｄの縁は全て手を切らない様に丸味を設けている。
【００２９】
同様に、前記手摺１の筐体２の周縁は全て手を切らない様に丸みを設けてもよい。
【００３０】
次に本実施例２の使用方法及びその効果について説明する。
【００３１】
手摺１を取り付けた手洗い装置７は、精神病院、刑務所又は警察の留置場等のトイレ個室内に取り付けられ、該手洗い装置７は、トイレの壁面から突出しない様に形成される。
【００３２】
そして、手洗い装置７に手摺１を取り付けるには、前記手洗い装置７のケース７ａの前面板７ｂの開口部に前記手摺１を埋設して、例えば、ネジ又は接着により固定する。
【００３３】
そして、利用者は実施例１の手摺１と同様に、前記筐体２の他側板部２ｂと握り部４との間の間隙から手を挿入してから、前記底板部２ｃと握り部４との間の空間部３に指を差し込んで握り部４を握ることにより手摺１を使用できる。
【００３４】
ここで、該手摺１の筐体２自体及び握り部４が前記手洗い装置７のケース７ａの前面板７ｂの開口部内に存して前面板７ｂよりも前方に突出していないので、手摺１には紐状体を掛けたり又は紐状体を結び付けたりすることができない。
【００３５】
また、手洗い器８と該手洗い器８と便器に連なる管路などの要部を突出しない様にコンパクトにケース内に収めてユニット化した手洗い装置に、手摺１を取り付けることにより、設置や修理などの管理が更に容易になる効果を有する。
【産業上の利用可能性】
【００３６】
本発明の手摺は、精神病院、刑務所又は警察の留置場等において主として自殺防止の目的で利用される。
【符号の説明】
【００３７】
１                      手摺
２                      筐体
２ａ                    一側板部
２ｂ                    他側板部
２ｃ                    底板部
２ｄ                    閉側板部
３                      空間部
４                      握り部
５                      連結板部
５ａ                    前面板部
５ｂ                    連設部
６                      壁
６ａ                    凹部
７                      手洗い装置
７ａ                    ケース
７ｂ                    前面板
８                      手洗い器
８ａ                    手洗い部
８ｂ                    流出口
８ｃ                    排水口
８ｄ                    水除けリング
９                      水道源
１０                    便器
１１                    主管路
１２                    補助管路
１３                    バルブ
１４                    操作ボタン
１５                    Ｓ字トラップ
【図１】
2015034406.tif 000003
【図２】
2015034406.tif 000004
【図３】
2015034406.tif 000005
【図４】
2015034406.tif 000006
【図５】
2015034406.tif 000007